(57)【特許請求の範囲】
【請求項１】
透液性表面シートと不透液性裏面シートとの間に吸液性コアが介在し、縦方向に前胴周り域および後胴周り域と、それら胴周り域の間に位置する股下域とを備え、前記コアの両側縁の外側に位置して前記前後胴周り域を縦方向へ延びる第１および第２胴周り側部を有し、前記前後胴周り域の第１胴周り側部どうしを連結するとともに、前記前後胴周り域の第２胴周り側部どうしを連結して着用する開放型の使い捨ておむつにおいて、
実質的に不透液性の中間シートが、前記裏面シートと前記コアとの間に介在し、排泄物を拭き取ることが可能な少なくとも１枚の第１拭き取りシートが、前記裏面シートと前記中間シートとの間に介在して前記前胴周り域を横方向へ延び、前記縦方向へ間欠的に並ぶ多数のスリットからなる第１切り取り線が、前記第１拭き取りシートを除く前記前胴周り域の第１胴周り側部に形成され、
第１拭き取りシートが、前記第１切り取り線の外側に位置して前記前胴周り域の第１胴周り側部に固着された固定側部と、前記固定側部から前記前胴周り域の第２胴周り側部へ向かって延びる自由側部とを有し、
前記おむつでは、前記第１切り取り線で前記前胴周り域の第１胴周り側部を該おむつから切り離すことが可能であり、かつ、切り離した前記前胴周り域の第１胴周り側部を該おむつの横方向外方へ引っ張ることで、前記第１拭き取りシートを前記裏面シートと前記中間シートとの間から引き出すことが可能であることを特徴とする前記おむつ。
【請求項２】
排泄物を拭き取ることが可能な少なくとも１枚の第２拭き取りシートが、前記裏面シートと前記中間シートとの間に介在して前記前胴周り域を横方向へ延び、前記縦方向へ間欠的に並ぶ多数のスリットからなる第２切り取り線が、前記第２拭き取りシートを除く前記前胴周り域の第２胴周り側部に形成され、
第２拭き取りシートが、前記第２切り取り線の外側に位置して前記前胴周り域の第２胴周り側部に固着された固定側部と、前記固定側部から前記前胴周り域の第１胴周り側部へ向かって延びる自由側部とを有し、
前記おむつでは、前記第２切り取り線で前記前胴周り域の第２胴周り側部を該おむつから切り離すことが可能であり、かつ、切り離した前記前胴周り域の第２胴周り側部を該おむつの横方向外方へ引っ張ることで、前記第２拭き取りシートを前記裏面シートと前記中間シートとの間から引き出すことが可能である請求項１記載のおむつ。
【請求項３】
前記第１および第２拭き取りシートの自由側部が、前記横方向へ折り畳まれた状態で前記裏面シートと前記中間シートとの間に介在している請求項２に記載のおむつ。
【請求項４】
前記第１および第２拭き取りシートが、ドライティッシュペーパー、または、透液性のドライ繊維不織布のいずれかである請求項２または請求項３に記載のおむつ。
【請求項５】
前記第１および第２拭き取りシートが、水とアルコールとのうちの少なくとも一方を含むウェットティッシュペーパー、または、水とアルコールとのうちの少なくとも一方を含む透液性のウェット繊維不織布のいずれかである請求項２または請求項３に記載のおむつ。
【発明の詳細な説明】
【０００１】
【発明の属する技術分野】
本発明は、排泄物を吸収、保持する開放型の使い捨ておむつに関する。
【０００２】
【従来の技術】
透液性表面シートと不透液性裏面シートとの間に吸液性コアが介在し、縦方向に前胴周り域および後胴周り域と、それら胴周り域の間に位置する股下域とを備え、前後胴周り域の胴周り側部どうしを連結して着用する開放型の使い捨ておむつは公知である。そのようなおむつとしては、特開平８−１９６５６５号公報や特開平８−３１７９５０号公報に開示されている。
【０００３】
介助者が排泄物で汚れた開放型のおむつを新しいそれに交換する手順は、以下のとおりである。介助者は、前後胴周り域の連結を解除して着用者から汚れたおむつを脱がせ、着用者の臀部や股間部に付着した排泄物をティッシュペーパーで拭き取った後、ティッシュペーパーをおむつの内側に載せる。介助者は、汚れたおむつを縦方向へ丸め、後胴周り域の胴周り側部を丸められたおむつの外面に止着しておむつをゴミ箱に捨てる。介助者は、新しいおむつの前後胴周り域の胴周り側部どうしを連結して着用者におむつを装着する。
【０００４】
【発明が解決しようとする課題】
このようにおむつの交換時には、着用者に付着した排泄物を拭き取るためのティッシュペーパーを別途用意する必要がある。しかし、おむつを交換する場所にティッシュペーパーが備え付けられていなかったり、介助者がティッシュペーパーを所持していないと、着用者に付着した排泄物を拭き取ることができない。
【０００５】
本発明の課題は、おむつの交換時にティッシュペーパーを別途用意しなくても、着用者に付着した排泄物を拭き取ることができる開放型の使い捨ておむつを提供することにある。
【０００６】
【課題を解決するための手段】
前記課題を解決するための本発明の前提は、透液性表面シートと不透液性裏面シートとの間に吸液性コアが介在し、縦方向に前胴周り域および後胴周り域と、それら胴周り域の間に位置する股下域とを備え、前記コアの両側縁の外側に位置して前記前後胴周り域を縦方向へ延びる第１および第２胴周り側部を有し、前記前後胴周り域の第１胴周り側部どうしを連結するとともに、前記前後胴周り域の第２胴周り側部どうしを連結して着用する開放型の使い捨ておむつである。
【０００７】
前記前提における本発明の特徴は、実質的に不透液性の中間シートが、前記裏面シートと前記コアとの間に介在し、排泄物を拭き取ることが可能な少なくとも１枚の第１拭き取りシートが、前記裏面シートと前記中間シートとの間に介在して前記前胴周り域を横方向へ延び、前記縦方向へ間欠的に並ぶ多数のスリットからなる第１切り取り線が、前記第１拭き取りシートを除く前記前胴周り域の第１胴周り側部に形成され、第１拭き取りシートが、前記第１切り取り線の外側に位置して前記前胴周り域の第１胴周り側部に固着された固定側部と、前記固定側部から前記前胴周り域の第２胴周り側部へ向かって延びる自由側部とを有し、前記おむつでは、前記第１切り取り線で前記前胴周り域の第１胴周り側部を該おむつから切り離すことが可能であり、かつ、切り離した前記前胴周り域の第１胴周り側部を該おむつの横方向外方へ引っ張ることで、前記第１拭き取りシートを前記裏面シートと前記中間シートとの間から引き出すことが可能であることにある。
【０００８】
本発明の実施の態様の一例としては、排泄物を拭き取ることが可能な少なくとも１枚の第２拭き取りシートが、前記裏面シートと前記中間シートとの間に介在して前記前胴周り域を横方向へ延び、前記縦方向へ間欠的に並ぶ多数のスリットからなる第２切り取り線が、前記第２拭き取りシートを除く前記前胴周り域の第２胴周り側部に形成され、第２拭き取りシートが、前記第２切り取り線の外側に位置して前記前胴周り域の第２胴周り側部に固着された固定側部と、前記固定側部から前記前胴周り域の第１胴周り側部へ向かって延びる自由側部とを有し、前記おむつでは、前記第２切り取り線で前記前胴周り域の第２胴周り側部を該おむつから切り離すことが可能であり、かつ、切り離した前記前胴周り域の第２胴周り側部を該おむつの横方向外方へ引っ張ることで、前記第２拭き取りシートを前記裏面シートと前記中間シートとの間から引き出すことが可能である。
【０００９】
本発明の実施の態様の他の一例としては、前記第１および第２拭き取りシートの自由側部が、前記横方向へ折り畳まれた状態で前記裏面シートと前記中間シートとの間に介在している。
【００１０】
本発明の実施の態様の他の一例としては、前記第１および第２拭き取りシートが、ドライティッシュペーパー、または、透液性のドライ繊維不織布のいずれかである。
【００１１】
本発明の実施の態様の他の一例としては、前記第１および第２拭き取りシートが、水とアルコールとのうちの少なくとも一方を含むウェットティッシュペーパー、または、水とアルコールとのうちの少なくとも一方を含む透液性のウェット繊維不織布のいずれかである。
【００１２】
【発明の実施の形態】
添付の図面を参照し、本発明にかかる開放型の使い捨ておむつの詳細を説明すると、以下のとおりである。
【００１３】
図１，２は、使い捨ておむつ１Ａの部分破断斜視図と、図１のＡ−Ａ線端面図とであり、図３，４は、図１のＢ−Ｂ線端面図と、おむつ１Ａの平面図とである。図１，４では、横方向を矢印Ｘで示し、縦方向を矢印Ｙで示す。図４では、第１および第２拭き取りシート１５，１６の一部を裏面シート３と中間シート１４との間から引き出した状態で示す。なお、表裏面シート２，３と中間シート１４との内面とは、コア４に対向する面をいい、それらシート２，３，１４の外面とは、コア４に非対向の面をいう。
【００１４】
このおむつ１Ａの主要な構成部材は、肌当接側に位置する透液性表面シート２と、肌非当接側に位置する不透液性裏面シート３と、それらシート２，３の間に介在する吸液性コアとである。おむつ１Ａは、それら部材の他に、実質的に不透液性の中間シートと、着用者に付着した大便や小便等の排泄物を拭き取ることが可能なそれぞれ１枚の第１および第２拭き取りシートとを有する。
【００１５】
おむつ１Ａは、縦方向に前胴周り域５および後胴周り域７と、それら胴周り域５，７の間に位置する股下域６とを有する。おむつ１Ａは、前後胴周り域５，７を横方向へ延びる胴周り端部８と、前後胴周り域５，７を縦方向へ延びる第１および第２胴周り側部９，１０と、股下域６を縦方向へ延びる脚周り側部１１とを有する。おむつ１Ａでは、脚周り側部１１がおむつ１Ａの横方向内方へ向かって弧を画いており、その平面形状が実質的に砂時計型を呈する。
【００１６】
胴周り端部８には、横方向へ延びる帯状の胴周り用弾性部材１２が伸長状態で取り付けられている。脚周り側部１１には、縦方向へ延びる複数条の脚周り用弾性部材１３が伸長状態で取り付けられている。
【００１７】
中間シート１４は、裏面シート３とコア４との間に介在している。コア４は、表面シート２と中間シート１４との内面に固着されている。コア４は、その肌対向面の全域が表面シート２に被覆され、その肌非対向面の全域が中間シート１４に被覆されている。
【００１８】
第１拭き取りシート１５と第２拭き取りシート１６とは、裏面シート３と中間シート１４との間に介在し、前胴周り域５を横方向へ延びている。前胴周り域５の第１胴周り側部９には、縦方向へ延びる第１切り取り線１７が形成されている。前胴周り域５の第２胴周り側部１０には、縦方向へ延びる第２切り取り線１８が形成されている。それら切り取り線１７，１８は、表面シート２と裏面シート３とをその厚み方向へ貫通する多数のスリットから形成されている。スリットは、第１および第２胴周り側部９，１０を縦方向へ間欠的に並んでいる。前胴周り域５のそれら胴周り側部９，１０は、第１および第２切り取り線１７，１８でおむつ１Ａから切り離すことが可能である。
【００１９】
第１拭き取りシート１５は、第１切り取り線１７の外側に位置して前胴周り域５の第１胴周り側部９に固着された固定側部１５ａと、固定側部１５ａから前胴周り域５の第２胴周り側部１０へ向かって延びる自由側部１５ｂとを有する。第２拭き取りシート１６は、第２切り取り線１８の外側に位置して前胴周り域５の第２胴周り側部１０に固着された固定側部１６ａと、固定側部１６ａから前胴周り域５の第１胴周り側部９へ向かって延びる自由側部１６ｂとを有する。
【００２０】
それら拭き取りシート１５，１６の自由側部１５ｂ，１６ｂは、表裏面シート２，３と中間シート１４とのいずれにもに固着されていない。それら拭き取りシート１５，１６は、ドライティッシュペーパー、または、透液性のドライ繊維不織布のいずれか一方を使用することができる。それら拭き取りシートは、水とアルコールとのうちの少なくとも一方を含むウェットティッシュペーパー、または、水とアルコールとのうちの少なくとも一方を含む透液性のウェット繊維不織布のいずれか一方を使用することもできる。アルコールには、エタノールとフェノキシエタノールとのうちの少なくとも一方を使用することができる。
【００２１】
後胴周り域７の第１および第２胴周り側部９，１０には、横方向内方へ延びる一対のテープファスナ１９が取り付けられている。前胴周り域５の裏面シート３の外面には、テープファスナ１９の止着域となる矩形のターゲットテープ２０が取り付けられている。テープファスナ１９の自由端部には、粘着剤（図示せず）が塗布され、自由端部が粘着剤を介して後胴周り域７の第１および第２胴周り側部９，１０に取り付けられた離型シート（図示せず）に着脱可能に仮着されている。ターゲットテープ２０は、可撓性を有するプラスチックフィルムから形成されている。
【００２２】
胴周り端部８は、コア４の両端縁４ａから縦方向外方へ延びる表裏面シート２，３の端部２ａ，３ａと中間シート１４の端部１４ａとから形成されている。胴周り端部８では、中間シート１４の端部１４ａが表裏面シート２，３の端部２ａ，３ａ内面に固着されている。胴周り用弾性部材１２は、裏面シート３の端部３ａと中間シート１４の端部１４ａとの間に介在し、それらシート３，１４の端部３ａ，１４ａ内面に固着されている。
【００２３】
第１および第２胴周り側部９，１０と脚周り側部１１とは、コア４の両側縁４ｂから横方向外方へ延びる表裏面シート２，３の側部２ｂ，３ｂから形成されている。第１および第２胴周り側部９，１０と脚周り側部１１とでは、中間シート１４の側部１４ｂがコア４の両側縁４ｂから横方向外方へわずかに延び、側部１４ｂからさらに横方向外方へ表裏面シート２，３の側部２ｂ，３ｂが延びている。それら側部９，１０では、中間シート１４の側部１４ｂ内面が表面シート２の側部２ｂ内面に固着され、裏面シート３の側部３ｂに固着されていない。
【００２４】
第１および第２胴周り側部９，１０では、第１および第２切り取り線１７，１８の外側において表裏面シート２，３の側部２ｂ，３ｂどうしが固着されている。脚周り側部１１では、表裏面シート２，３の側部２ｂ，３ｂどうしが固着されている。第１および第２拭き取りシート１５，１６の固定側部１５ａ，１６ａは、表面シート２の側部２ｂと裏面シート３の側部３ｂとの間に介在し、第１および第２切り取り線１７，１８の外側においてそれらシート２，３の側部２ｂ，３ｂ内面に固着されている。脚周り用弾性部材１３は、表面シート２の側部２ｂと裏面シート３の側部３ｂとの間に介在し、それらシート２，３の側部２ｂ，３ｂ内面に固着されている。
【００２５】
おむつ１Ａを着用するには、テープファスナ１９の自由端部を離型シートから剥がし、自由端部をおむつ１Ａの横方向外方へ折り返した後、後胴周り域７の第１胴周り側部９を前胴周り域５の第１胴周り側部９の外側に重ね合わせるとともに、後胴周り域７の第２胴周り側部１０を前胴周り域５の第２胴周り側部１０の外側に重ね合わせ、粘着剤を介してテープファスナ１９の自由端部をターゲットテープ２０に止着する。前後胴周り域５，７のそれら胴周り側部９，１０が連結されたおむつ１Ａには、胴周り開口とその下方に一対の脚周り開口（図示せず）とが形成される。
【００２６】
排泄物で汚れたおむつ１Ａを交換するには、第１および第２胴周り側部９，１０の連結を解除し、第１切り取り線１７で前胴周り域５の第１胴周り側部９をおむつ１Ａから切り離すとともに、第２切り取り線１８で前胴周り域５の第２胴周り側部１０をおむつ１Ａから切り離す。おむつ１Ａでは、図４に示すように、切り離した前胴周り域５のそれら胴周り側部９，１０をおむつ１Ａの横方向外方へ引っ張ることによって、第１および第２拭き取りシート１５，１６を裏面シート３と中間シート１４との間から引き出すことができる。
【００２７】
介護者は、それら拭き取りシート１５，１６を使用して着用者の臀部と股間部とに付着した排泄物を拭き取った後、切り離したそれら胴周り側部９，１０とともに拭き取りシート１５，１６をおむつ１Ａの内側に載せる。介護者は、おむつ１Ａを前胴周り域５から後胴周り域７に向かって縦方向へ丸め、テープファスナ１９の自由端部を丸められたおむつ１Ａの裏面シート３の外面に止着し、おむつ１Ａをゴミ箱に捨てる。介助者は、新しいおむつの前後胴周り域の第１胴周り側部どうしを連結するとともに、前後胴周り域の第２胴周り側部どうしを連結して着用者におむつを装着する。
【００２８】
おむつ１Ａでは、裏面シート３と中間シート１４との間に排泄物を拭き取ることが可能な第１および第２拭き取りシート１５，１６が介在するので、着用者に付着した排泄物を拭き取るためのティッシュペーパーを別途用意する必要はない。おむつ１Ａでは、それを交換する場所にティッシュペーパーが備え付けられていなかったり、介助者がティッシュペーパーを所持していなくても、着用者に付着した排泄物を拭き取ることができる。また、おむつ１Ａでは、それら拭き取りシート１５，１６を裏面シート３と中間シート１４との間に介在させることによって、その着用中にそれら拭き取りシート１５，１６がおむつ１Ａから不用意に脱落してしまうことを防ぐことができる。
【００２９】
おむつ１Ａでは、コア４の肌非対向面が不透液性の中間シート１４に被覆されているので、コア４に吸収された排泄物が中間シート１４を透過して拭き取りシート１５，１６に付着することはなく、それら拭き取りシート１５，１６の衛生状態を維持することができる。おむつ１Ａでは、それら拭き取りシート１５，１６がウェットティッシュペーパー、または、透液性のウェット繊維不織布のいずれか一方であったとしても、コア４とそれら拭き取りシート１５，１６との間に中間シート１４が介在するので、それら拭き取りシート１５，１６に含まれる水やアルコールがコア４に吸収されてしまうことはない。
【００３０】
図５，６は、他の実施の形態を示す使い捨ておむつ１Ｂの部分破断斜視図と、図５のＣ−Ｃ線端面図とである。図５では、横方向を矢印Ｘで示し、縦方向を矢印Ｙで示す。図５のおむつ１Ｂが図１のそれと異なる点は、以下のとおりである。
【００３１】
このおむつ１Ｂでは、それぞれ１枚の第１および第２拭き取りシート１５，１６の自由側部１５ｂ，１６ｂが横方向へ折り畳まれた状態で裏面シート３と中間シート１４との間に介在している。おむつ１Ｂでは、第１および第２切り取り線１７，１８で前胴周り域５の第１および第２胴周り側部９，１０をおむつ１Ｂから切り離し、切り離したそれら胴周り側部９，１０をおむつ１Ｂの横方向外方へ引っ張ることによって、それら拭き取りシート１５，１６を裏面シート３と中間シート１４との間から引き出すことができる。排泄物で汚れたおむつ１Ｂを交換する手順は、図１のそれと同一である。
【００３２】
このおむつ１Ｂでは、第１および第２拭き取りシート１５，１６が横方向へ折り畳まれているので、それら拭き取りシート１５，１６の横方向の長さ寸法を図１のそれらよりも長くすることができ、拭き取りシート１５，１６で多量の排泄物を拭き取ることができる。おむつ１Ｂでは、図１のそれと同様に、裏面シート３と中間シート１４との間に第１および第２拭き取りシート１５，１６が介在するので、着用者に付着した排泄物を拭き取るためのティッシュペーパーを別途用意する必要はない。
【００３３】
それら図示のおむつ１Ａ，１Ｂでは、第２拭き取りシート１６は必ずしも必要ではなく、第１拭き取りシート１５のみが裏面シート３と中間シート１４との間に介在していればよい。この場合では、第１切り取り線１７のみが前胴周り域５の第１胴周り側部９に形成される。図１のおむつ１Ａでは、第１および第２拭き取りシート１５，１６が２枚以上重なり合った状態で裏面シート３と中間シート１４との間に介在していてもよい。この場合では、２枚以上の拭き取りシート１５，１６の固定側部１５ａ，１６ａが互いに重なり合った状態で前胴周り域５の第１および第２胴周り側部９，１０に固着される。
【００３４】
表面シート２には、親水性繊維不織布、多数の開孔を有する疎水性繊維不織布、微細な多数の開孔を有するプラスチックフィルムのいずれかを使用することができる。裏面シート３や中間シート１４には、疎水性繊維不織布、通気不透液性のプラスチックフィルム、疎水性繊維不織布を重ね合わせた複合不織布、疎水性繊維不織布と通気不透液性のプラスチックフィルムとを重ね合わせた複合シートのいずれかを使用することができる。
【００３５】
裏面シート３や中間シート１４には、高い耐水性を有するメルトブローン法による繊維不織布を、高い強度を有しかつ柔軟性に富んだスパンボンド法による繊維不織布で挟んだ複合不織布を使用することもできる。拭き取りシート１５，１６が透液性の繊維不織布である場合は、その繊維不織布として、親水性繊維不織布を使用することができる。
【００３６】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００３７】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、それの型崩れやポリマー粒子の脱落を防止するため、全体が透液性シートに被覆されていることが好ましい。ポリマー粒子としては、デンプン系、セルロース系、合成ポリマー系のものを使用することができる。
【００３８】
表裏面シート２，３の固着や中間シート１４の固着、拭き取りシート１５，１６の固着、コア４の固着、弾性部材１２，１３の固着には、ホットメルト型接着剤、または、ヒートシールやソニックシール等の熱による溶着手段を利用することができる。
【００３９】
【発明の効果】
本発明にかかる開放型の使い捨ておむつによれば、裏面シートと中間シートとの間に排泄物を拭き取ることが可能な少なくとも１枚の拭き取りシートが介在するので、着用者に付着した排泄物を拭き取るためのティッシュペーパーを別途用意する必要はない。このおむつでは、それを交換する場所にティッシュペーパーが備え付けられていなかったり、介助者がティッシュペーパーを所持していなくても、着用者に付着した排泄物を拭き取ることができる。
【００４０】
拭き取りシートの自由側部が横方向へ折り畳まれた状態で裏面シートと中間シートとの間に介在するおむつでは、拭き取りシートが折り畳まれていない場合と比較し、拭き取りシートの横方向の長さ寸法を長くすることができ、拭き取りシートで多量の排泄物を拭き取ることができる。
【図面の簡単な説明】
【図１】使い捨ておむつの部分破断斜視図。
【図２】図１のＡ−Ａ線端面図。
【図３】図１のＢ−Ｂ線端面図。
【図４】おむつの平面図。
【図５】他の実施の形態を示す使い捨ておむつの部分破断斜視図。
【図６】図５のＣ−Ｃ線端面図。
【符号の説明】
１Ａ，１Ｂ    開放型の使い捨ておむつ
２            透液性表面シート
３            不透液性裏面シート
４            吸液性コア
４ｂ          両側縁
５            前胴周り域
６            股下域
７            後胴周り域
９            第１胴周り側部
１０            第２胴周り側部
１４            中間シート
１５            第１拭き取りシート
１５ａ          固定側部
１５ｂ          自由側部
１６            第２拭き取りシート
１６ａ          固定側部
１６ｂ          自由側部
１７            第１切り取り線
１８            第２切り取り線
【図１】
0003723755.tif 000002
【図２】
0003723755.tif 000003
【図３】
0003723755.tif 000004
【図４】
0003723755.tif 000005
【図５】
0003723755.tif 000006
【図６】
0003723755.tif 000007